(57)【要約】【課題】シャッタの動作によりシール部材が剥がれるのを防止した画像形成装置の現像器ユニットおよびこれを用いた画像形成装置の提供を目的とする。【解決手段】トナー供給容器３からトナー供給口４を通じてトナーが供給される画像形成装置の現像器ユニットであって、トナー供給口４を開閉するシャッタ５と、シャッタ５の閉動作時の進行方向側のトナー供給口４に、トナー供給口４のトナー供給容器３側の面からトナー供給口４の当該現像器ユニット本体２の内側の面まで回り込ませて貼り付けたシール部材６とを有する。【選択図】図４
2007072234.tif 000002
【特許請求の範囲】
【請求項１】
トナー供給容器からトナー供給口を通じてトナーが供給される画像形成装置の現像器ユニットであって、
前記トナー供給口を開閉するシャッタと、
同シャッタの閉動作時の進行方向側の前記トナー供給口に、前記トナー供給口のトナー供給容器側の面から前記トナー供給口の当該現像器ユニット本体の内側の面まで回り込ませて貼り付けたシール部材と
を有することを特徴とする画像形成装置の現像器ユニット。
【請求項２】
前記トナー供給口と対面する位置に形成されたトナー供給容器側開口部と、
前記シャッタとともに動作させて前記トナー供給容器側開口部を開閉するトナー供給容器側シャッタと
を有するトナー供給容器を備えたことを特徴とする請求項１記載の画像形成装置の現像器ユニット。
【請求項３】
請求項１または２に記載の現像器ユニットを備えたことを特徴とする画像形成装置。
【発明の詳細な説明】
【技術分野】
【０００１】
本発明は、電子写真方式のファクシミリ、プリンタや複写機等の画像形成装置の現像器ユニットおよびこれを用いた画像形成装置に関する。
【背景技術】
【０００２】
従来、トナーを専用容器（以下、「トナー供給容器」と称す。）にて供給する電子写真方式のファクシミリ、プリンタや複写機等の画像形成装置においては、その現像器ユニットへ専用容器からトナーを補給するため、現像器ユニットおよびトナー供給容器のそれぞれに開口部を有し、それぞれの開口部にはシャッタを備えている。シャッタはトナー供給容器の着脱に応じて開閉することにより、トナーを漏れなく現像器ユニットへ供給する（例えば、特許文献１参照。）。
【０００３】
図６は従来の画像形成装置の現像器ユニットおよびトナー供給容器の断面図である。
【０００４】
図６に示すように、現像器ユニット２０には、トナー供給口２１が開口されており、このトナー供給口２１にはトナー供給容器２２の着脱に応じて開閉する板金シャッタ２３（図７および図８参照。）が設けられている。また、トナー供給口２１のトナー供給容器２２側の面には板金シャッタ２３との隙間を封止するため、スポンジ製のシール部材２４が貼り付けられている。そして、板金シャッタ２３の開閉時には、板金シャッタ２３がこのシール部材２４上を摺動する。
【特許文献１】特開平１１−２１２３４９号公報
【発明の開示】
【発明が解決しようとする課題】
【０００５】
ところが、この板金シャッタ２３の摺動時に、板金シャッタ２３のエッジによって現像器ユニット２０に貼り付けられているシール部材２４が剥がれやすいという問題が発生している。図７および図８は板金シャッタ２３によりトナー供給口２１を閉じる様子を示す部分拡大断面図である。
【０００６】
図７に示すように、板金シャッタ２３が閉じる際、そのエッジ部分がシール部材２４に当接し、シール部材２４を引き込みながら進行する。そして、図８に示すように、板金シャッタ２３が完全に閉じた状態では、シール部材２４の端の部分がトナー供給口２１のトナー供給容器２２側の面から剥がれてしまう。
【０００７】
そこで、本発明は、シャッタの動作によりシール部材が剥がれるのを防止した画像形成装置の現像器ユニットおよびこれを用いた画像形成装置を提供することを目的とする。
【課題を解決するための手段】
【０００８】
上記課題を解決するため、本発明の画像形成装置の現像器ユニットは、トナー供給容器からトナー供給口を通じてトナーが供給される画像形成装置の現像器ユニットであって、トナー供給口を開閉するシャッタと、シャッタの閉動作時の進行方向側のトナー供給口に、トナー供給口のトナー供給容器側の面からトナー供給口の当該現像器ユニット本体の内側の面まで回り込ませて貼り付けたシール部材とを有する構成としたものである。
【発明の効果】
【０００９】
本発明によれば、シャッタが閉じる際、そのエッジ部分が当接するシール部材が、トナー供給口のトナー供給容器側の面からトナー供給口の当該現像器ユニット本体の内側の面まで回り込ませて貼り付けられているので、容易には剥がれることがなく、トナー供給容器の着脱によりシャッタが繰り返し開閉されても、シール部材のシール効果が減少するのを防止することができる。
【発明を実施するための最良の形態】
【００１０】
本願の第１の発明は、トナー供給容器からトナー供給口を通じてトナーが供給される画像形成装置の現像器ユニットであって、トナー供給口を開閉するシャッタと、シャッタの閉動作時の進行方向側のトナー供給口に、トナー供給口のトナー供給容器側の面からトナー供給口の当該現像器ユニット本体の内側の面まで回り込ませて貼り付けたシール部材とを有する画像形成装置の現像器ユニットであり、シャッタが閉じる際、そのエッジ部分が当接するシール部材が、トナー供給口のトナー供給容器側の面からトナー供給口の当該現像器ユニット本体の内側の面まで回り込ませて貼り付けられているので、容易には剥がれることがなく、トナー供給容器の着脱によりシャッタが繰り返し開閉されても、シール部材のシール効果が減少するのを防止することができる。
【００１１】
本願の第２の発明は、トナー供給口と対面する位置に形成されたトナー供給容器側開口部と、シャッタとともに動作させてトナー供給容器側開口部を開閉するトナー供給容器側シャッタとを有するトナー供給容器を備えた画像形成装置の現像器ユニットであり、トナー供給容器側開口部を開閉するトナー供給容器側シャッタとともに動作してトナー供給容器からトナーが供給されるトナー供給口を開閉するシャッタの動作によって、シール部材が容易に剥がれることがない画像形成装置の現像器ユニットが得られる。
【００１２】
本願の第３の発明は、上記現像器ユニットを備えた画像形成装置であり、トナー供給容器からトナーが供給されるトナー供給口を開閉するシャッタの動作によってトナー供給口のシール部材が剥がれるのを防止した画像形成装置が得られる。
【００１３】
以下、本発明の実施の形態について、図面を参照して説明する。
【００１４】
図１は本発明の実施の形態における画像形成装置の現像器ユニットの斜視図、図２は図１の画像形成装置の現像器ユニットの断面図、図３は図２のトナー供給口の上側の部分拡大図、図４および図５はシャッタによりトナー供給口を閉じる様子を示す部分拡大断面図である。なお、図１においては、トナー供給容器を省略している。
【００１５】
図１および図２に示すように、本発明の実施の形態における画像形成装置の現像器ユニット１は、現像器ユニット本体２と、現像器ユニット本体２内へトナーを供給するためのトナー供給容器３とを有する。現像器ユニット本体２には、トナー供給容器３からトナーが供給されるトナー供給口４が開口されている。なお、図示例では、トナー供給口４の開口は矩形であるが、他の形状とすることもできる。
【００１６】
また、現像器ユニット本体２には、このトナー供給口４を開閉するシャッタ５が設けられている。また、このトナー供給口４の周縁部であってトナー供給容器３側の面には、スポンジ製のシール部材６がトナー供給口４の開口を取り囲むように貼り付けられている。シャッタ５は、開閉時に、このスポンジ製のシール部材６上を摺動する。
【００１７】
なお、本実施の形態における現像器ユニット１では、シール部材６が、シャッタ５の閉動作時の進行方向側すなわち図１および図２の上側のトナー供給口４に、図２および図３に示すようにトナー供給口４のトナー供給容器３側の面４ａからトナー供給口４の当該現像器ユニット本体２の内側の面４ｂまで回り込ませて貼り付けられている。また、このシール部材６は、トナー供給口４の周縁部全体において現像器ユニット本体２の内側の面４ｂまで回り込ませる構成とすることも可能である。
【００１８】
トナー供給容器３は、内筒３ａと外筒３ｂの二重構造を有している。内筒３ａには、トナー供給口４と対面する位置に形成されたトナー供給容器側開口部１０が設けられている。一方、外筒３ｂには、外筒３ｂを回転させてトナー供給容器３を現像器ユニット本体２に固定するためのレバー１１が設けられている。
【００１９】
なお、外筒３ｂは、現像器ユニット本体２への固定状態においてトナー供給口４とトナー供給容器側開口部１０とを連通するとともに、レバー１１を図２の時計回りに回転させて固定解除状態としたときにはトナー供給口４とトナー供給容器側開口部１０とを遮蔽するように構成されている。すなわち、外筒３ｂは、回転することによってトナー供給容器側開口部１０を開閉するシャッタとして機能する。
【００２０】
また、前述のシャッタ５は、外筒３ｂのレバー１１を回転させたときに、外筒３ｂとともに動作するように構成されており、外筒３ｂとともにトナー供給口４とトナー供給容器側開口部１０とを連通または遮蔽する。
【００２１】
上記構成の画像形成装置の現像器ユニット１では、レバー１１を時計回りに回転させてシャッタ５が閉じる際、図４に示すようにそのエッジ部分が当接するシール部材６が、トナー供給口４のトナー供給容器側の面４ａからトナー供給口４の当該現像器ユニット本体２の内側の面まで回り込ませて貼り付けられているので、図５に示すように容易には剥がれることがなく、トナー供給容器３の着脱によりシャッタ５が繰り返し開閉されても、シール部材６のシール効果が減少するのを抑えられる。
【産業上の利用可能性】
【００２２】
本発明の現像器ユニットは、電子写真方式のファクシミリ、プリンタや複写機等の画像形成装置に有用である。特に、本発明の現像器ユニットは、シャッタの動作によりシール部材が剥がれるのを防止した画像形成装置の現像器ユニットとして好適である。
【図面の簡単な説明】
【００２３】
【図１】本発明の実施の形態における画像形成装置の現像器ユニットの斜視図
【図２】図１の画像形成装置の現像器ユニットの断面図
【図３】図２のトナー供給口の上側の部分拡大図
【図４】シャッタによりトナー供給口を閉じる様子を示す部分拡大断面図
【図５】シャッタによりトナー供給口を閉じる様子を示す部分拡大断面図
【図６】従来の画像形成装置の現像器ユニットおよびトナー供給容器の断面図
【図７】板金シャッタによりトナー供給口を閉じる様子を示す部分拡大断面図
【図８】板金シャッタによりトナー供給口を閉じる様子を示す部分拡大断面図
【符号の説明】
【００２４】
１    現像器ユニット
２    現像器ユニット本体
３    トナー供給容器
３ａ    内筒
３ｂ    外筒
４    トナー供給口
５    シャッタ
６    シール部材
１０    トナー供給容器側開口部
１１    レバー
【図１】
2007072234.tif 000003
【図２】
2007072234.tif 000004
【図３】
2007072234.tif 000005
【図４】
2007072234.tif 000006
【図５】
2007072234.tif 000007
【図６】
2007072234.tif 000008
【図７】
2007072234.tif 000009
【図８】
2007072234.tif 000010